(57)【要約】【課題】起動時などの待ち時間にユーザにとって有用なデータを表示可能とする。【解決手段】ＢＭＬ文書で提供されるデジタルデータ放送をＯＦＤＭ２１で復調する。復調したＢＭＬデータから文字情報であるテキストデータを抽出し、ＴＶ側マイコン１０の記憶部１６に格納し、デジタル受信機の電源をオンして番組の映像が表示されるまでの待ち時間に、抽出したテキストデータをＯＳＤ部１７によってＬＣＤパネル６に表示する。【選択図】図１
2008187582.tif 000002
【特許請求の範囲】
【請求項１】
映像および音声を含む主放送とともにデータ放送を受信可能なデジタル放送受信機であって、少なくともデータ放送の受信時に該データ放送のデータを記憶する記憶手段と、この記憶手段に記憶された前記データの少なくとも一部を前記デジタル放送受信機の電源投入時又は受信チャネル切換時の少なくとも何れか一方の待ち時間にモニタ画面に表示する手段を備えたことを特徴とするデジタル放送受信機。
【請求項２】
前記記憶手段に記憶されるデータ放送として株価、天気予報、番組情報などの複数のデータを含むとともに、前記モニタ画面に表示する際、その任意のデータをユーザが選択してモニタ画面に表示可能であることを特徴とする請求項１記載のデジタル放送受信機。
【請求項３】
前記データ放送が少なくとも映像情報と文字情報を含むＢＭＬ（Broadcast  Markup  Language）で記述され、その文字情報のみを記憶して前記モニタ画面に表示して成ることを特徴とする請求項１又は２記載のデジタル放送受信機。
【請求項４】
デジタル放送信号を受信するチューナと、このチューナで受信した映像データ、音声データ、及びＢＭＬ文書データが多重化された放送信号を復調する復調手段と、前記ＢＭＬ文書データから文字情報となるテキストデータを抽出する手段と、電源投入から前記チューナで受信した映像が表示されるまでの待ち時間に前記抽出したテキストデータをモニタに表示させる手段を備えたことを特徴とするデジタル放送受信機。
【発明の詳細な説明】
【技術分野】
【０００１】
本発明は、デジタル放送受信機、特に、起動時あるいは作動時の待ち時間にユーザにとって有用なデータが表示可能なデジタル放送受信機に関するものである。
【背景技術】
【０００２】
近年、デジタル放送は、従来のアナログ放送と比べて高品質であるとともに、多チャンネルなどの多く利点があるが、デジタル受信回路の起動に時間がかかる。
【０００３】
このため、このようなモニタ画面に映像が映し出されるまでのあいだは、無音で画面も変化の無い空白時間となり、ユーザは機器の動作が正常かどうか判断できず、無用な不安を与える可能性がある。そこで、特許文献１には、例えば、電源投入から受信信号の出力開始までの待ち時間に保留音を出力し、かつ、その待ち時間の長さに応じて保留音のピッチを変更させてユーザに知らせたり、あるいは、チャネル切換の待ち時間の間に、切換後の新選択チャネルの紹介情報をユーザに提示するデジタル放送受信機が提案されている。
【０００４】
【特許文献１】特開２００１−７７２２号公報
【発明の開示】
【発明が解決しようとする課題】
【０００５】
特許文献１に示すデジタル放送受信機においては、電源投入から実際の放送番組の映像が映し出されるまでの待ち時間（空白時間）に待ち時間に応じた保留音や切換後の新選択チャネルの紹介情報を表示することによって、機器が正常に作動していることの判断ができ、空白無音状態に対するユーザの不安感等の解消できるものの、単に機器が正常に作動しているか否かの判断は、例えば、映像が映し出されるまでの待ち時間に機器に記憶させた例えば、「しばらくお待ちください」の文字を表示すれば、より簡単な構成で達成できる。しかし、このような、定型文の文字情報や前述した待ち時間に応じた保留音あるいはチャネルの紹介情報の表示は、ユーザが機器に慣れてくると、単に煩わしい表示となりなり易く、よりユーザにとって有用な情報を表示できれば、起動するまでの待ち時間を有効利用することができる。
【０００６】
本発明は上述した問題点に鑑みてなされたものであり、デジタル放送受信機が起動するまでの待ち時間をユーザにとって有用な情報を表示させて待ち時間を有効利用することが可能なデジタル放送受信機を提供することを目的とする。
【課題を解決するための手段】
【０００７】
請求項１のデジタル放送受信機は、映像および音声を含む主放送とともにデータ放送を受信可能なデジタル放送受信機であって、少なくともデータ放送の受信時に該データ放送のデータを記憶する記憶手段と、この記憶手段に記憶された前記データの少なくとも一部を前記デジタル放送受信機の電源投入時又は受信チャネル切換時の少なくとも何れか一方の待ち時間にモニタ画面に表示する手段を備えたことを特徴とする。
【０００８】
請求項１の構成により、デジタルデータ放送は、チューナで受信した放送信号の他、各種情報がユーザに提供され、この各種情報が記憶手段に格納される。そして、デジタル受信機の起動時あるいは受信チャネル切換時にチューナで受信した映像が表示されるまでの待ち時間（空白時間）に記憶手段に格納された情報の少なくとも一部が表示される。
【０００９】
請求項２のデジタル放送受信機は、請求項１記載のデジタル放送受信機において、前記記憶手段に記憶されるデータ放送として株価、天気予報、番組情報などの複数のデータを含むとともに、前記モニタ画面に表示する際、その任意のデータをユーザが選択してモニタ画面に表示可能であることを特徴とする。
【００１０】
請求項２の構成により、デジタルデータ放送で提供される例えば、株価、天気予報、番組情報などの複数のデータのうち、ユーザが任意の情報を選択し、その情報をデジタル受信機の起動時あるいは受信チャネル切換時の待ち時間（空白時間）にユーザが選択した情報が表示される。
【００１１】
請求項３のデジタル放送受信機は、請求項１又は２記載のデジタル放送受信機において前記データ放送が少なくとも映像情報と文字情報を含むＢＭＬ（Broadcast  Markup  Language）で記述され、その文字情報のみを記憶して前記モニタ画面に表示して成ることを特徴とする。
【００１２】
請求項３の構成により、デジタルデータ放送はチューナで受信した映像データ、音声データ、及びＢＭＬ文書データが多重化された放送信号を受信し、これをＢＭＬ文書解析部によって記述内容が解析され、所定の内部データ形式に変換される。このＢＭＬ文書解析部による解析結果に基づいて、表示レイアウトされてデータ放送画面が生成される。そのデータ放送画面として例えば天気予報のデータ放送では、背景や晴れや曇りなどを示すシンボルマークを示す画像（イメージ）データや、晴れや曇りの文字情報を示すテキストデータから構成され、この天気予報を表示する際に、表示する画像のバイナリデータのファイル名や、このバイナリデータによる画像の表示位置及び表示サイズや、表示するテキストの文字情報や、この文字情報の表示位置及び表示サイズを、それぞれ指定するためのタグで表示されるＢＭＬ文書データが用いられ、これらの画像（イメージ）データやテキストデータは、タグの属性値として記述されたファイル名で記憶に格納される。そして、テキストを表す文字情報のみを抽出し、これをＴＶ側の記憶手段に記憶し、デジタル受信機の起動時あるいは受信チャネル切換時の待ち時間（空白時間）にモニタに表示させる。
【００１３】
請求項４のデジタル放送受信機は、デジタル放送信号を受信するチューナと、このチューナで受信した映像データ、音声データ、及びＢＭＬ文書データが多重化された放送信号を復調する復調手段と、前記ＢＭＬ文書データから文字情報となるテキストデータを抽出する手段と、電源投入から前記チューナで受信した映像が表示されるまでの待ち時間に前記抽出したテキストデータをモニタに表示させる手段を備えたことを特徴とする。
【００１４】
請求項４の構成により、映像データ、音声データ、及びＢＭＬ文書データが多重化された放送信号を受信し、復調手段で復調し、所定の内部データ形式に変換される。そして、ＢＭＬ文書で記述されたデータから文字情報のテキストデータを抽出し、これをＴＶ側の記憶手段に記憶し、デジタル受信機の起動時あるいは受信チャネル切換時の待ち時間（空白時間）にモニタに表示させる。
【発明の効果】
【００１５】
請求項１のデジタル放送受信機によれば、映像および音声を含む主放送とともにデータ放送を受信可能なデジタル放送受信機であって、少なくともデータ放送の受信時に該データ放送のデータを記憶する記憶手段と、この記憶手段に記憶された前記データの少なくとも一部を前記デジタル放送受信機の電源投入時又は受信チャネル切換時の少なくとも何れか一方の待ち時間にモニタ画面に表示する手段を備えたものであるから、デジタル受信機は、電源をオンして受信した放送信号の映像が表示されるまでの待ち時間が長くかかるが、この待ち時間に前回、デジタル放送受信機をオンして記憶手段に格納した有益な情報を表示することで、無駄な待ち時間を有効利用できるとともに、ユーザは、デジタル受信機が正常に動作していることを把握できる。
【００１６】
請求項２のデジタル放送受信機によれば、請求項１記載のデジタル放送受信機において、前記記憶手段に記憶されるデータ放送として株価、天気予報、番組情報などの複数のデータを含むとともに、前記モニタ画面に表示する際、その任意のデータをユーザが選択してモニタ画面に表示可能であることから、予めユーザが任意の情報を選択し、その選択した情報をデジタル受信機が起動した際などに表示すれば、ユーザにとって知りたい情報を表示することができる。
【００１７】
請求項３のデジタル放送受信機によれば、請求項１又は２記載のデジタル放送受信機において前記データ放送が少なくとも映像情報と文字情報を含むＢＭＬ（Broadcast  Markup  Language）で記述され、その文字情報のみを記憶して前記モニタ画面に表示したことにより、記憶手段に記憶する情報量が少なくて済み、記憶手段の記憶容量も少なく抑えられる。
【００１８】
請求項４のデジタル放送受信機によれば、デジタル放送信号を受信するチューナと、このチューナで受信した映像データ、音声データ、及びＢＭＬ文書データが多重化された放送信号を復調する復調手段と、前記ＢＭＬ文書データから文字情報となるテキストデータを抽出する手段と、電源投入から前記チューナで受信した映像が表示されるまでの待ち時間に前記抽出したテキストデータをモニタに表示させる手段を備えたものであるから、デジタル受信機の起動時などにおいて、電源をオンしてデジタルデータ放送が表示されるまでの待ち時間にユーザにとって知りたい情報を文字として表示することができる。
【発明を実施するための最良の形態】
【００１９】
以下、本発明のデジタル放送受信機についての具体的実施例について、添付図面を参照しながら説明する。なお、以下の実施態様は、本発明を具体化する際の一形態であって、本発明をその範囲内に限定するためのものではない。
【００２０】
図１及び図２は本発明の一実施例を示すものであり、本発明の一実施例を示すブロック図、図２はデジタル受信機の起動画面を示す参考図である。
【００２１】
図１に示すように、デジタル受信機は、デジタル放送信号を受信するチューナ１と、このチューナ１及びビデオ入力端子（Video  In）２から入力されるアナログ信号をデジタル信号に変換するＡＤＣ（Analoｇ  Digital  Converter）３と、モニタに合わせて画像データを最適化するスケーラーＩＣ４と、スケーラーＩＣ４からの信号をＬＶＤＳ（Low  Voltage  Differential  Signaling）信号に変換するＬＶＤＳ  ＩＣ５と、モニタとしてのＬＣＤパネル６（ＬＣＤ：Liquid  Crystal  Display）６などで構成され、これらチューナ１、ＡＤＣ３、スケーラーＩＣ４、ＬＶＤＳ  ＩＣ５、ＬＣＤパネル６を含む装置全体は制御手段としてのＴＶ側のマイコン（μＣＯＭ）１０により制御される。またマイコン１０には、ユーザが操作して各種の指示を入力するためのリモコン送信機１１からの信号を受信するリモコン受信機１２と、このリモコン受信機１２及びユーザが操作する本体Ｋｅｙ１３からの信号を受信する操作受信部１４を備えている。さらに、マイコン１０は、操作受信部１４からの信号に基づいて前記チューナ１、ＡＤＣ３、スケーラーＩＣ４、ＬＶＤＳ  ＩＣ５、ＬＣＤパネル６などを制御する制御部１５、前記リモコン受信機１２、本体Ｋｅｙ１３からの入力信号を操作情報として記憶する記憶部１６や、ＯＳＤ（オンスクリーンディスプレイ）部１７などを備える。
【００２２】
また、本実施例におけるデジタル受信機は、データ放送を受信可能なデータ放送受信機能を備えており、当該データ放送受信機能となるデジタル受信部２０の構成について説明する。デジタル受信部２０は、前記チューナ１で受信した映像データ、音声データ、及びＢＭＬ文書データが多重化された放送信号を復調するＯＦＤＭ（Orthogonal  Frequency  Division  Multiplexing）２１と、その復調後の受信信号を復号化して、映像データ、音声データをそれぞれ出力するＭＰＥＧ（Moving Picture Experts Group）及びマイコン２２、そのＭＰＥＧ及びマイコン２２がワークに用いるＳＤＲＡＭ２３とＭＰＥＧ２及びマイコン２２で動作するソフトウェアを格納したＦＬＡＳＨ２４などで構成される。
【００２３】
ＴＳ信号から分離されたＢＭＬ文書データは、図示しないＢＭＬ文書解析部で記述内容が解析され、所定の内部データ形式に変換される。このＢＭＬ文書解析部による解析結果に基づいて、データ放送画面生成部により表示レイアウトされてデータ放送画面が生成される。そのデータ放送画面として例えば天気予報のデータ放送では、背景や晴れや曇りなどを示すシンボルマークを示す画像（イメージ）データや、晴れや曇りの文字情報を示すテキストデータから構成され、この天気予報を表示する際に、表示する画像のバイナリデータのファイル名や、このバイナリデータによる画像の表示位置及び表示サイズや、表示するテキストの文字情報や、この文字情報の表示位置及び表示サイズを、それぞれ指定するためのタグで表示されるＢＭＬ文書データが用いられ、これらの画像（イメージ）データやテキストデータは、タグの属性値として記述されたファイル名でＳＤＲＡＭ２３に格納されている。
【００２４】
また、デジタルデータ放送は、チューナ１で切り換えられた周波数チャンネル毎に、各種の情報がＳＤＲＡＭ２３に格納され、各周波数チャンネル毎にＳＤＲＡＭ２３に格納される。このとき、ＢＭＬ文書解析部（図示せず）により、テキストを表す文字情報のみを抽出し、これをＴＶ側のマイコン（μＣＯＭ）１０に出力しておく。すなわち、ＳＤＲＡＭ２３には、ユーザに提供されるデータ放送の各種情報、例えば、災害時の緊急メッセージやニュース、天気予報、株価などのデータのうち、文字情報として抽出されたテキストデータが格納され、起動時などにおいて、デジタル受信機の電源をオンして番組の映像が表示されるまでの待ち時間に、前記抽出したテキストデータをＯＳＤ（オンスクリーンディスプレイ）部１７によってＬＣＤパネル６に表示する。例えば、図２は、デジタル受信機の起動時において、起動画面ａにデータ放送の天気予報から抽出したテキストデータｂを表示している。なお、この起動画面ａに表示されるテキストデータｂは、提供されるデータ放送の各種情報からユーザが任意に選択できる。
【００２５】
以上のように、本実施例においては、デジタル受信機の起動時あるいは受信チャネル切換時にチューナ１で受信した映像が表示されるまでの待ち時間（空白時間）に単なる文字による決まったメッセージではなく、例えば、図２に示すように、前回、デジタルデータ放送の受信時に抽出した天気予報といったユーザの知りたい有益な情報を表示することができる。すなわち、デジタルデータ放送は、ＢＭＬ文書で記述され、ＬＣＤパネル６にデジタルデータを表示するためのＢＭＬブラウザが備えられており、このＢＭＬブラウザを用いてＢＭＬ文書データを解釈、提示、実行させることから、デジタルデータを表示するまでタイムラグが発生し、デジタル受信機の電源をオンしてデジタルデータ放送が表示されるまでの待ち時間が長くかかる。この待ち時間に前回、ユーザが知りたい有益な情報を表示することで、無駄な待ち時間を有効利用できるとともに、ユーザは、デジタル受信機が正常に動作していることを把握でき、便利である。また、デジタル受信機が起動する毎にＳＤＲＡＭ２３に新たなデジタルデータ放送の情報が更新され、次回、デジタル受信機を起動した際、更新された情報、例えば天気予報の情報が文字として表示されることから、起動毎に直前にオフするまでに格納した比較的、新しい情報を知ることができる。さらに、起動時に表示するデジタルデータ放送の情報は、文字であるテキストデータのみを抽出してＳＤＲＡＭ２３に記憶することから、ＳＤＲＡＭ２３に記憶する情報量も少なくて済み、ＭＰＥＧ及びマイコン２２がワークなどとして用いるＳＤＲＡＭ２３の記憶容量も少なく抑えられる。また、ＳＤＲＡＭ２３に記憶されるデジタルデータ放送の各種情報は、予めユーザが任意の情報を選択し、その選択した情報をデジタル受信機が起動した際に表示すれば、よりユーザにとって知りたい情報を表示することが可能である。
【００２６】
以上、本発明の一実施例を詳述したが、本発明は前記実施例に限定されるものでなく、本発明の要旨の範囲内で種々の変形実施が可能である。前記実施例では、デジタル受信機の基本的構成などは適宜選定すればよい。
【図面の簡単な説明】
【００２７】
【図１】本発明の一実施例を示すブロック図である。
【図２】同上、デジタル受信機の起動画面を示す参考図である。
【符号の説明】
【００２８】
２  チューナ
６  ＬＣＤパネル（モニタ）
１７  ＯＳＤ部
１６  記憶部
２０  デジタル受信部
２１  ＯＦＤＭ（複調手段）
２２  マイコン（制御手段）
２３  ＳＤＲＡＭ（記憶手段）
【図１】
2008187582.tif 000003
【図２】
2008187582.tif 000004